(57)【要約】  【課題】  ハガキやカード等の基体に手軽に擦り取り可能に付着される付着膜が付けられた膜付着体、及び、付着膜の表面に情報表示した情報表示体を提供する。  【解決手段】  アンケートはがき（情報表示体）１０は、基体１１を有し、基体１１の一部には付着膜１３が塗布されている。そして、この付着膜上には、アンケート対象者の宛名１４が印刷されている。付着膜１３は、ゴム＋接着剤ベースの物質で作製されており、指で擦り取り可能であり、擦り取った膜が一つにまとまりやすい。アンケート対象者は、アンケート欄１７に記入後、付着膜１３を擦り取って投函する。これにより、アンケート対象者の住所や氏名は、一見しただけではわからなくなる。アンケート実施者は、バーコード１９から対象者の住所や氏名等の情報を読み出す。【選択図】  図１【特許請求の範囲】
【請求項１】
基体と、
該基体の少なくとも一部を覆う、該基体に付着した付着膜と、を具備し、
該付着膜が指で擦り取り可能であり、擦り取った膜が一つにまとまりやすいことを特徴とする膜付着体。
【請求項２】
前記付着膜が粘着性の物質からなり、
該付着膜の反基体側の面（表面）が乾燥後は粘着性が乏しくなることを特徴とする請求項１記載の膜付着体。
【請求項３】
前記付着膜の乾燥前に該膜上に物が貼り付けられていることを特徴とする請求項１又は２記載の膜付着体。
【請求項４】
前記基体の前記付着膜に覆われた部分に情報表示がなされており、
前記付着膜又は前記物に、前記付着膜を擦り取ることを誘起する表示がなされていることを特徴とする請求項１、２又は３記載の膜付着体。
【請求項５】
前記付着膜が、天然ゴム、合成ゴム及び又はホットメルトをベースとする物質からなることを特徴とする請求項２、３又は４記載の膜付着体。
【請求項６】
前記付着膜が着色料を含有し、
該膜を擦り取った基体の部分に該膜の跡が残ることを特徴とする請求項１〜５いずれか１項記載の膜付着体。
【請求項７】
基体と、
該基体の少なくとも一部を覆う、該基体に付着した付着膜と、
該付着膜上につけられた情報表示層と、
を具備し、
該付着膜が指で擦り取り可能であり、擦り取った膜が一つにまとまりやすいことを特徴とする情報表示体。
【請求項８】
前記情報表示層に表示された情報を暗号化して表示する暗号表示部をさらに具備することを特徴とする請求項７記載の情報表示体。
【請求項９】
前記付着膜の縁の部分が比較的膜が厚くなっていることを特徴とする請求項１〜８いずれか１項記載の膜付着体又は情報表示体。
【請求項１０】
基体と、
該基体の少なくとも一部を覆う、該基体に付着した付着膜と、を具備し、
前記付着膜が天然ゴム、合成ゴム及び又はホットメルトをベースとする物質からなり、
前記付着膜が２ヶ所以上に形成されており、両付着膜を対向させて重ねて接着することを特徴とする膜付着体。
【請求項１１】
前記付着膜の下の前記基体表面及び前記付着膜の外表面の両方に情報表示がなされており、
前記付着膜を擦り取ることにより外表面表示を抹消し付着膜の下の基体表面の表示を外に表すことを特徴とする請求項７、８又は９記載の情報表示体。
【請求項１２】
前記情報表示層の情報が郵便物又は配送物の宛先又は送り先であることを特徴とする請求項７〜１１いずれか１項記載の情報表示体。
【請求項１３】
基体と、
該基体表面に付着した、質問の題材となる図形の形をしているとともに、指で擦り取り可能な付着膜と、
前記基体の前記付着膜に覆われた部分に施された前記質問の解答の表示と、
を備えることを特徴とするドリル教材。
【請求項１４】
折り畳み可能又は重ね合わせ可能な基体と、
該基体の少なくとも一部を覆う、該基体に付着した擦り取り可能な付着膜と、を具備し、
前記付着膜が天然ゴム、合成ゴム及び又はホットメルトをベースとする物質からなり、
前記付着膜を前記基体の一部に対向させて重ねて接着することを特徴とする膜付着体。
【請求項１５】
カード本体と、
該カード本体の少なくとも一部を覆う、該カード本体に付着した擦り取り可能な付着膜と、を具備し、
前記付着膜に香料入りのマイクロカプセルが含まれているか香料が混入されていることを特徴とする香り付きカード。
【発明の詳細な説明】
【技術分野】
【０００１】
本発明は、ハガキやカード等の基体に擦り取り可能に付着される付着膜を付けた膜付着体に関する。また、付着膜の表面に情報表示した情報表示体に関する。特には、情報の印刷や書き込み、及び、物（紙片、カード、販促媒体など）の付着が可能などの特性を有し、多様な用途に使用できる擦り取り可能な膜付着体を利用した情報表示体などに関する。
【背景技術】
【０００２】
擦り取り可能な膜付着体として、例えば、くじとして使用されているスクラッチシールがある。このスクラッチシールは、機密性を要する部分（「当り」や「はずれ」など）に貼り付けて同部分を隠蔽し、コインや爪でシールを擦り取って同部分を露出させるものである。このようなスクラッチシールは、主に、バインダ樹脂に隠蔽性を有する顔料を分散させて調整したスクラッチ層と、感圧性接着剤層が積層されて作製されている（例えば、特許文献１参照）。【０００３】
【特許文献１】特開２００２−１０３８６５
【０００４】
ところで、このようなスクラッチシールは、機密性を要する部分を隠蔽するという機能とともに、擦り取ることによって同シール上に記されている情報を破棄できるという機能も有する。この機能を活用すると、例えば、スクラッチシールが貼られている基体は必要であるが、同基体上に記された情報が必要でなくなった場合、あるいは、同情報を消去したい場合などに、このような情報を破棄できる。この点を考慮すると、スクラッチシールは、近年問題となっているダイレクトメール等の情報物のプライバシー保護に利用できる可能性を有するものと考えられる。しかし、一般的なスクラッチシールは、擦り取るのに何回も擦らなければならず、また、バラバラになった削りかすが出て、ゴミ集めが大変である。
【発明の開示】
【発明が解決しようとする課題】
【０００５】
本発明は上記の点に鑑みてなされたものであって、ハガキやカード等の基体に手軽に擦り取り可能に付着される付着膜が付けられた膜付着体、及び、付着膜の表面に情報表示した情報表示体を提供することを目的とする。特には、情報の印刷や書き込みや、物（紙片、カード、販促媒体など）の付着が可能などの特性を有する膜付着体及び情報表示体を提供することを目的とする。
【課題を解決するための手段】
【０００６】
本発明の膜付着体は、  基体と、  該基体の少なくとも一部を覆う、該基体に付着した付着膜と、を具備し、  該付着膜が指で擦り取り可能であり、擦り取った膜が一つにまとまりやすいことを特徴とする。【０００７】
付着膜を、例えば、粘着性を有するゴムなどをベースとする物質で作製すると、擦り取った膜の各部分が相互に粘着し合って一つにまとまる。このため、従来のスクラッチシールのように、擦り取られたかすが粉々にならないので、擦り取った膜を捨てやすい。【０００８】
本発明においては、  前記付着膜が粘着性の物質からなり、  該付着膜の反基体側の面（表面）が乾燥後は粘着性が乏しくなることが好ましい。
付着膜を基体上に塗布した後、同膜の表面に物が付き難くなり、扱いやすい。【０００９】
本発明においては、  前記付着膜の乾燥前に該膜上に物を貼り付けることもできる。
付着膜の乾燥前の粘着性を有する状態のときに、付着膜に物を貼り付けることによって、例えば、ダイレクトメールなどの宣伝・公告物に、サンプルや優待券などの販促媒体を貼付することができる。【００１０】
本発明においては、  前記基体の前記付着膜に覆われた部分に情報表示がなされており、  前記付着膜又は前記物に、前記付着膜を擦り取ることを誘起する表示がなされていることが好ましい。
擦り取った後にどんな情報が提供されるのかという好奇心や興味を引くので、その情報やその膜付着体が提供するものに対して関心が高まる。【００１１】
本発明においては、  前記付着膜が、天然ゴム、合成ゴム及び／又はホットメルトをベースとする物質からなることが好ましい。
このような組成を持つことにより、擦り取られた膜が一つにまとまる。なお、さらに、着色料や、水、アンモニアなどを混合してもよい。【００１２】
本発明においては、  前記付着膜が着色料を含有し、  該膜を擦り取った基体の部分に該膜の跡が残ることが好ましい。着色料としては、例えば、合成樹脂４〜１２％、水２０〜６０％、顔料３８〜６５％を含有するインクを用いることができる。顔料としては、酸化チタン（白）、銅（藍、赤、草）、モリブデン（紫）、カーボンブラック（黒）などを用いることができる。
擦り取った後に、基体上に付着膜の跡が着色されていることにより、視覚的な興味を付加できる。なお、基体が有色で付着膜が白の場合でも、白い跡が残る。【００１３】
本発明の情報表示体は、  基体と、  該基体の少なくとも一部を覆う、該基体に付着した付着膜と、  該付着膜上につけられた情報表示層と、を具備し、  該付着膜が指で擦り取り可能であり、擦り取った膜が一つにまとまりやすいことを特徴とする。【００１４】
擦り取ることによって付着膜上に記されている情報を破棄できる。例えば、付着膜が貼られている基体（例えば、はがき）は必要であるが、同基体上に必要でなくなった情報、あるいは、消去したい情報（例えば、個人の住所や名前など）が記されている場合などに、このような情報を簡単に破棄できる。このため、近年問題となっているダイレクトメール等の情報物のプライバシー保護に広く利用できる。【００１５】
本発明おいては、  前記情報表示層に表示された情報を暗号化して表示する暗号表示部をさらに具備することとできる。【００１６】
本発明においては、  前記付着膜の縁の部分が比較的膜が厚くなっていることとすると、付着膜を擦り取りやすくなる。【００１７】
本発明の膜付着体は、  基体と、  該基体の少なくとも一部を覆う、該基体に付着した付着膜と、を具備し、  前記付着膜が天然ゴム、合成ゴム及び又はホットメルトをベースとする物質からなり、  前記付着膜が２ヶ所以上に形成されており、両付着膜を対向させて重ねて接着することを特徴とする。【００１８】
本発明の情報表示体は、  前記付着膜の下の前記基体表面及び前記付着膜の外表面の両方に情報表示がなされており、  前記付着膜を擦り取ることにより外表面表示を抹消し付着膜の下の基体表面の表示を外に表すこととできる。【００１９】
本発明においては、前記情報表示層の情報が郵便物又は配送物の宛先又は送り先であることとできる。【００２０】
本発明のドリル教材は、  基体と、  該基体表面に付着した、質問の題材となる図形の形をしているとともに、指で擦り取り可能な付着膜と、  前記基体の前記付着膜に覆われた部分に施された前記質問の解答の表示と、を備えることを特徴とする。【００２１】
近年、脳の老化防止やリハビリの一環として、様々な訓練器具や訓練方法が提案されており、その一つに、紙面に描かれたシルエットを見てその名称を当てるクイズ方式のものがある。本発明のドリル教材の一例では、そのシルエットを指で擦り取り可能な付着膜で作成し、その付着膜で覆われた部分にシルエットの名称（解答）を表示する。この場合、解答者はシルエットを見て名称を答え、そのシルエットを指で擦り取って解答を確かめることができる。このように、視覚に加えて触覚も刺激され、指先の運動という脳の活性化に有効な効果を得ることができる。なお、質問の題材となる図形としては、シルエットのほかに数字、文字、イラスト、版画、手書き風お絵かき、漫画などがありうる。また、絵葉書などにも適用できる。このドリル教材においては、擦り取った付着膜が一つにまとまりやすいものとすれば、ゴミが出ず、捨てやすいので好ましい。【００２２】
本発明の他の膜付着体は、  折り畳み可能又は重ね合わせ可能な基体と、  該基体の少なくとも一部を覆う、該基体に付着した擦り取り可能な付着膜と、を具備し、  前記付着膜が天然ゴム、合成ゴム及び又はホットメルトをベースとする物質からなり、  前記付着膜を前記基体の一部に対向させて重ねて接着することを特徴とする。【００２３】
この場合、例えば、基体を付着膜に重ねるように折り畳んで付着膜の上から押圧することで、基体の一部を重ね合わせて軽く接着させることができる。【００２４】
本発明の香り付きカードは、  カード本体と、  該カード本体の少なくとも一部を覆う、該カード本体に付着した擦り取り可能な付着膜と、を具備し、  前記付着膜に香料入りのマイクロカプセルが含まれているか香料が混入されていることを特徴とする。【００２５】
本発明の香り付きカードは、付着膜を擦り取る際にマイクロカプセルが破壊されて香料が空中に拡散する。カード本体としては、金属、アルミニウム、鉄、ガラス、プラスチック、ユポ（合成紙）等を使用できる。
【発明の効果】
【００２６】
以上の説明から明らかなように、本発明によれば、ハガキやカード等の基体に擦り取り可能に付着される付着膜を付けた膜付着体、及び、付着膜の表面に情報表示した情報表示体を提供することができる。この膜付着体は、擦り取った後、一つにまとまる性質を有するため、ゴミが出ず捨てやすい。
【発明を実施するための形態】
【００２７】
以下、本発明の実施の形態について、図面を参照しながら詳細に説明する。
図１は、本発明の第１の実施の形態に係る情報表示体（アンケートはがき）を説明する図であり、図１（Ａ）は同表示体の表面と裏面の平面図、図１（Ｂ）は模式的な断面図、図１（Ｃ）は同表示体の付着膜剥離後の表面の平面図である。
この例では、アンケートはがきを例にとって説明する。アンケート実施者はアンケート対象者にアンケートはがきを送付し、対象者はアンケートに回答後、同はがきを実施者に返送する。なお、言うまでもないが、はがき以外にも、封書、宅配便による配送物などに用いることができる。
【００２８】
アンケートはがき１０は、はがきサイズの基体１１を有する。基体１１の表面１１Ｔはアンケート実施者から対象者への送付用、裏面１１Ｂは対象者から実施者への返信用である。表面１１の上部には、アンケート対象者の宛名１５とアンケート欄１７が記載されている。ここで、対象者の宛名１５は基体１１に貼付された付着膜１３上に記されており、アンケート欄１７は基体１１上に記されている。この付着膜１３は、はがきである基体１１と同様の白色で、指で擦り取り可能であり、擦り取った後一つにまとまる（詳細後述）。さらに、表面１１Ｔには、アンケート対象者の住所や氏名等の情報を暗号化したバーコード１９が記されている。
基体１１の裏面１１Ｂには、アンケート実施者の住所（アンケート返信先）２１が記されている。
【００２９】
アンケート対象者は、アンケートはがき１０を受け取ってアンケート欄１７に回答する。その後、付着膜１３を指で擦り取る。すると、図１（Ｃ）に示すように、表面１１Ｔ´には回答が記されたアンケート欄１７´とバーコード１９が残り、アンケート対象者の住所や氏名は、一見しただけではわからなくなる。そして、このはがき１０を投函し、裏面１１Ｂに記されたアンケート実施者２１に返送する。アンケート実施者は、バーコード１９から対象者の住所や氏名等の情報を読み出す。
【００３０】
このように、アンケート対象者は、自分が回答したアンケートの回答者が自分であることを、返送中に第三者に知られることがない。そして、アンケート実施者はバーコードから対象者を特定できるので、アンケート内容を対象者に照らし合わせることができる。
【００３１】
（付着膜作製の実施例）
付着膜１３の材料としては、一例として、天然ゴムラテックス（ＯＳＣ−Ｂ２０、萬盛スズキ社製、天然ゴム成分；約５０〜６８％、たんぱく質等の非ゴム成分；約１．５％、アンモニア；約０．２％、水；約４８．３〜３０．０％）１００重量部と樹脂凸版用インキ（樹脂凸版用  水性フレキソインキコンクベースシリーズＦＸタイプ、合同インキ株式会社製、白色顔料として酸化チタン１０〜３５％含有）５〜１５重量部とを混合して調整したものを使用できる。天然ゴムラテックスに対する樹脂凸版用インキの重量比は、５〜２５％であることが好ましい。この範囲以上の場合は、顔料などの性状によっては、付着膜を擦り取った際に、同膜が一つにまとまりにくくなることがある。
なお、天然ゴムラテックスやインクの種類、配合比率は上記の値に限定されない。
上記以外の天然ゴムラテックスとして、米国Ｎａｔｉｏｎａｌ  Ｓｔａｒｃｈ社のＲＥＳＹＮ３５−６１９９や、三井フーラー社のＦＢ−０３０９０Ｃ、ＦＢ−０３０８ＷＸ、ＬＡ−７８５０、ＬＡ−７８６０などを用いることもできる。
【００３２】
付着膜１３を基体１１に塗布する方法としては、ロールコート法などの塗布方法を用いることができる。この方法は、付着膜１３の形状の塗布部を有するロールに、天然ゴムラテックスと顔料の混合液を浸し、基体に押圧して塗布する。塗布後、自然乾燥させることにより、塗布された付着膜上に物が付き難くなる。
【００３３】
図２は、本発明の第２の実施の形態に係る情報表示体を説明する図であり、図２（Ａ）は平面図、図２（Ｂ）は模式的な断面図、図２（Ｃ）は付着膜剥離後の平面図である。
この例では、お祝いや贈り物に添えるカードを例にとって説明する。
【００３４】
図２（Ｂ）に示すように、カード３０の白色の基体３１の一面には、文字や絵などの印刷層３３が設けられている。この印刷層３３の上面には、図２（Ａ）示すように、この例では、ハート型の付着膜３５が貼付されている。付着膜３５は濃いピンク色で、印刷層３３を完全に隠蔽している。この付着膜３５上には、文字や絵などの印刷層３７が記されている。つまり、図２（Ａ）に示すように、このカード３０は、基体３１に描かれたハート型の部分（付着膜３５の部分）上に文字や絵（印刷層３７）が記されているだけのように見える。
なお、印刷層３７は、ボールペンなどで文字や絵を手書きしたものでもよい。この際、ボールペンやサインペンは水性でも油性でもよい。
【００３５】
付着膜３５を擦り取ると、図２（Ｃ）に示すように、基体３１上に、印刷層３３が現れる。そして、基体３１に付着膜３５´の形状が着色されている。このように、膜３５を擦り取った後も膜３５の形状が基体に残るので、デザイン性が拡がる。なお、付着膜３５の縁の部分に厚めに膜を形成するようにすれば、特に膜３５を擦り取りやすくできる。
【００３６】
この例の付着膜３５も、図１の実施例と同様に、天然ゴムラテックスと樹脂凸版用インキの混合物を用いることができる。この例では、上述の天然ゴムラテックス１００ｇに、樹脂凸版用インキに含有される顔料として、白色顔料（水溶性酸化チタン）１５〜３５ｇ、赤色顔料（藍）２．５〜７ｇ、グリーン顔料（草）１ｃｃを混合したものを使用することができる。
【００３７】
なお、基体が有色で付着膜が白の場合は、付着膜を擦り取った後白い跡が残る。また、付着膜を数字や文字の形状とすることもできる。この場合、色上質紙や折り紙等の着色された面に、白色の付着膜で相手に伝えたい事項やメッセージを形成すると、同付着膜を擦り取った後、膜の形状の跡が残り、その事項やメッセージを強調できる。また、スピードくじや商品購入の文言するとこともできる。さらに、注意事項等の文言とすると、擦り取ることによって再確認を促すことができる。
【００３８】
このような付着膜の跡が残るという機能を、以下の例のように使用することもできる。
例えば、販売促進用として、購入意識を推進させるイメージを跡に残すことができる。また、サービス券や金券等のお金に換算される券の基体上に、白色付着膜を付け、擦り取った跡を判断して、本物か偽者の確認をすることができる。この場合、赤外線に反応する蛍光インク等の配合液を混ぜることによりさらに明確に証明できる。
【００３９】
図３は、本発明の第３の実施の形態に係る情報表示体を説明する図であり、図３（Ａ）は平面図、図３（Ｂ）は模式的な断面図、図３（Ｃ）は紙片を取り外した後の平面図である。
この例では、ダイレクトメール（美容器具宣伝広告用）を例にとって説明する。
【００４０】
このダイレクトメール４０は、図３（Ｂ）に示すように、基体４１上に印刷された印刷層４３Ａと４３Ｂと、同印刷層４３Ｂを覆う付着膜４５と、同付着膜４５に付着している紙片４７とを有する。基体４１上には、図３（Ｃ）に示すように、このダイレクトメールの対象商品である美容器具の施術前の状態を写した写真４３Ａと、施術後の状態の写真４３Ｂが印刷されており、付着膜４５は、施術後の写真４３Ｂを覆っている。そして、この付着膜４５上に紙片４７が付着している（図３（Ａ）参照）。紙片４７には、「施術後、どのような結果になるのか、この紙をはがして疑似体験してみて下さい。」と記されている。このように、付着膜４５は、印刷層４３Ｂを隠蔽するとともに、紙片４７を付着している。
【００４１】
このダイレクトメール４０においては、紙片４７の文面に従って紙片４７を取り外すと、付着膜４５が現れる。付着膜４５の側方には、「見えない部分をこすると、きれいになったお肌が現れます。」という文が記された印刷層４３Ｃが設けられている。そして、この文面に従って付着膜４５をこすると、施術後の写真４３Ｂが現れ、この美容器具による効果を擬似体験できる。
【００４２】
この例の付着膜も天然ゴムラテックスと樹脂凸版用のインキの混合物を使用できる。ただし、上記の塗布方法において、付着膜塗布後１〜１８秒内に紙片４７を付着膜４５の上に載せて加圧し、紙片４７を付着膜４５に付着させる。これにより、紙片４７は付着膜４５に付着するとともに、簡単に剥がすことができる。
【００４３】
図４は、本発明の第４の実施の形態に係る情報表示体を説明する図であり、図４（Ａ）は平面図、図４（Ｂ）は模式的な断面図、図４（Ｃ）は紙片を取り外した後の平面図である。
この例では、ダイレクトメール（中古車販売宣伝広告用）を例にとって説明する。
【００４４】
このダイレクトメール５０は返信はがきを兼ねており、基体５１の表面５１Ｔには、送り先の宛名５３が印刷されており、裏面５１Ｂには、返送先の宛名５７が印刷されている。また、基体５１には、切り取って使用できる２枚の引換券５５が設けられている。図４（Ｂ）に示すように、引き換え券５５の裏面は印刷層６５となっており、印刷層６５上に、付着膜６３、紙片５９が順に積層されている。印刷層６５は、この例では、各引換券５５に描かれたトマトの絵６５Ａと、両引換券５５に渡って記された「ピンクの部分をこすると絵が現れます。」といる文６５Ｂである。付着膜６３は、上記の実施例と同様に、擦り取り可能であり、擦り取った後一つにまとまる性質を有する。この例では、図４（Ｃ）に示すように、上側の付着膜６３はピンク色のハート型で、下側の付着膜６３はピンク色の自動車の形である。
【００４５】
紙片５９には、図４（Ａ）の右側の図に示すように、「この紙をはがして指で擦るときれいにとれる？お楽しみ！」という文面が記されている。この文面に従って紙片５９を剥がすと、ハート型及び自動車型の付着膜６３が現れる。そして、印刷層の文面６５Ｂに従って「ピンクの部分」である付着膜６３を擦ると、トマトの絵の印刷層６５が現れる。さらに、同面には、付着膜６３の形状が着色されて残っている。
【００４６】
付着膜６３は、小さな子どもでも指で簡単に擦り取ることができ、擦り取った後一つにまとまる。また、付着膜６３は不透明であるため、擦り取った後どんな絵が現れるのかという好奇心を抱く。このような好奇心が、対象商品への指向性を高めることに結びつき、高い宣伝・公告効果を得られる。
【００４７】
図５は、本発明の第５の実施の形態に係る情報表示体を説明する平面図である。
この例では、パンフレット（牛の部位を説明する資料）を例にとって説明する。
【００４８】
このパンフレット７０には、牛の各部位を示す模式図７１が描かれており、各部位にその名称が印刷されている（印刷層は図示せず）。そして、各部位に付着膜７３が付着している。付着膜７３の色は部位ごとに異なる。天然ゴムラテックスと混合するインクの顔料の色を変えることにより、様々な色の付着膜を作製できる。
【００４９】
また、パンフレット７０には、牛の各部位の名前とその部位に適した料理方法が記された表７５が記されている。付着膜７３を擦り取ることによって、その部位の名称が記された印刷層が露出する。例えば、付着膜７３−１を擦り取ると、その部位には「ネック」と印刷されており、表７５から適した料理方法を知ることができる。
【００５０】
この例では、各部位の形状をジクソーパズル形式として、付着膜７３の上から筆記用具で各部位の名前を書き込み、付着膜を擦り取った後に残る、書き込んだ時の筆記圧（紙面の凹みなど）で解答させることもできる。
【００５１】
また、上述の各例において、付着膜に極少量の香料を混ぜると、擦り取る際に香りが放散し、臭覚で感じることができる。特に、広告として使用する場合は、その対象商品をイメージするような香料を使用することにより、好奇心や興味を高めることができる。
【００５２】
この場合、基体（金属、紙、プラスチック等）上に香料を含有させた付着膜を塗布し、その上に案内カード（金属、印刷物、プラスチック等）等を貼り付ける。香料が漏れないように、案内カードは付着膜の四方で貼り付けられることが好ましい。また、匂いを最初から拡散させたい場合は、案内カードを部分的に付着膜に貼り付ける。
【００５３】
図６は、本発明の第６の実施の形態に係る情報表示体を説明する平面図である。
この例は、図１の実施例の変形例であり、以下の点で図１の実施例と異なる。
【００５４】
この例のはがき１０´は、基体１１´の表面１１Ｔ´にアンケート実施者の宛名（返送先）２１が印刷されている。そして、この宛名２１の上に付着膜１３が塗布されており、この付着膜１３上にアンケート対象者の宛名１５が印刷されている。付着膜１３を擦り取ると、アンケート対象者の宛名は分からなくなり、返送先の宛名２１が表れる。
【００５５】
また、基体の表面１１Ｔ´には、アンケート対象者の住所や氏名を暗号化した二次元バーコード１９−１とＩＣチップ１９−２が印刷、貼付されている。
【００５６】
図７は、本発明の第７の実施の形態に係る情報表示体の平面図である。
この例では、情報隠匿部を備えた返信用のはがきを例にとって説明する。
【００５７】
このはがき８０の基体８１には返信先の宛名８３が印刷されている。また、基体８１には、はがき８０を受け取った人の住所や名前、電話番号、勤務先などの個人情報を記入する欄が印刷された回答欄８６と、注意書きや連楽先の宛名などの注意事項が印刷された保護欄８９が設けられている。保護欄８９は谷折りの折り線８８に沿って回答欄８６に重ねられる。
【００５８】
各欄８６、８９には、付着膜８５が塗布されている。この付着膜８５としては、天然ゴムラテックス（米国Ｎａｔｉｏｎａｌ  Ｓｔａｒｃｈ社ＲＥＳＹＮ３５−６１９９）４０〜７５ｇに対して、白顔料（水溶性酸化チタン１０〜３５％含有）７〜１８ｇを混合したものを使用できる。この混合物を各欄に塗布し、０．５〜８秒間乾燥させる。
【００５９】
はがきの回答者は、回答欄８６にボールペンなどで回答し、保護欄８９を折り線８８に沿って折り返して回答欄８６に重ねる。そして、両欄を押えて貼りあわせることにより、両欄が密着し、回答欄８６が隠蔽される。なお、付着膜３５の混合物に顔料を多めに入れることにより、表示の隠匿性が増す。
なお、保護欄８９は比較的容易に回答欄８６から引き剥がすことができる。
【００６０】
図８は、本発明の第８の実施の形態に係る情報表示体を説明する図であり、図８（Ａ）は情報表示体の平面図、図８（Ｂ）は開いた基体の平面図である。
この例では、ダイレクトメールを例にとって説明する。
【００６１】
このダイレクトメール９０は、基体（紙）９１を折り目９２に沿って二つ折りしたもので、折り目９２以外の３つの辺の周縁が接着されて閉じられている。そして、図８（Ａ）に示すように、これらの３つの辺にミシン目９３が入っており、このミシン目９３を破ると基体９１を開くことができる。基体９１の一面には、図８（Ｂ）に示すように、ハート、セダン車、ワゴン車の形状の、擦り取り可能な付着膜９４−１、９４−２、９４−３が付着されている。これら付着膜９４は、前述のように、付着膜塗布後に自然乾燥させることにより、塗布された付着膜上に物が付き難くなるという性質のものであるが、同付着膜上に物を重ねてある程度の力で加圧すると、同膜上に物を一時的に付着させることができる。この例では、いったん基体９１を開いた後も、基体９１を二つ折りしてある程度の力を加えて重ね合わせると、付着膜９４により基体９１の一面と他方の面が軽く接着する。
【００６２】
図９は、本発明の第９の実施の形態に係る情報表示体を説明する平面図である。
この例では、香り付きのカードを例にとって説明する。
【００６３】
図９（Ａ）のカード１００は、基体（紙やプラスチックなどのカード）１０１にバラの形状の付着膜１０２が付着されている。基体１０１の付着膜１０２で覆われた部分にはＲＯＳＥの文字１０３が表示されている。
図９（Ｂ）のカード１００´は、基体１０１´にチューリップの形状の付着膜１０２´が付着されている。基体１０１´の付着膜１０２´で覆われた部分にはＴＵＬＩＰの文字１０３´が表示されている。
図９（Ｃ）のカード１００´´は、基体１０１´´にりんごの形状の付着膜１０２´´が付着されている。基体１０１´´の付着膜１０２´´で覆われた部分にはＡＰＰＬＥの文字１０３´´が表示されている。
【００６４】
各付着膜１０２には、香料入りのマイクロカプセルが含まれている。このような付着膜１０２は、前述の製造工程において、天然ゴムラテックス等に香料入りマイクロカプセル（径：５〜５００μｍ）を混入して塗布することで作製できる。香料入りマイクロカプセルとしては、例えば、日本カプセルプロダクツ社製のものを使用できる。この例においては、例えば、バラの付着膜１０２にはバラの香料、チューリップの付着膜１０２´にはその他の花の香料、りんごの付着膜１０２´´にはりんごの香料が入ったマイクロカプセルを使用する。
【００６５】
各付着膜１０２を指で擦ると、マイクロカプセルが破壊されて香料が空中に拡散する。基体１０１を紙で作製すれば、香料が浸透し、香りを維持することができる。この例においても、擦り取った付着膜を一つにまとまるようにすれば捨てやすい。なお、マイクロカプセルではなく、水溶性の香料やオーデコロンを天然ゴムラテックス等に混入させた付着膜を作製すると、指で擦り取った際に指に匂いが移る。
【００６６】
基体１０１としては、金属、アルミニウム、鉄、ガラス、プラスチック、ユポ（合成紙）等を使用できる。
【００６７】
なお、印刷物にこのような香料入りマイクロカプセルを刷り込んだカードは、一般に販売されている。このようなカードは、印刷物を指で擦るとマイクロカプセルが壊れて香料が拡散するものであるが、擦っても印刷物は擦り取られずカスも出ない点で本発明と異なっている。製造方法は、いったん紙に印刷して乾燥した後に、再度シルクスクリーンで香料入りマイクロカプセルインクを指定された印刷面に刷り込む方法であり、二回の工程を要する。本発明では、天然ゴムラテックス等に香料入りマイクロカプセルを混入して塗布することだけでよいので、より簡単に製造できるとともに、基体の種類も多様である。
【００６８】
図１０は、本発明の実施の形態に係るドリル教材を説明する平面図である。
このドリル教材１１０は、例えば、脳の老化防止やリハビリの一環、あるいは幼児の学習用として使用される、紙面に描かれたシルエットを見てその名称を当てるクイズ形式のドリルである。ドリル教材１１０は、紙などの基体１１１を有し、基体１１１の表面には、様々なシルエットの形の付着膜１１２が付着されている。この例では、図の上から天使、ハート、悪魔の図のシルエットの形の付着膜１１２−１、１１２−２、１１２−３が付着されている。そして、各付着膜１１２で覆われた基体１１１上には、各シルエットの名称の文字（図の上から天使、ハート、悪魔）１１３−１、１１３−２、１１３−３が表示されている。
【００６９】
この教材１１０を使用する際は、解答者はシルエットを見て名称を答える。そして、そのシルエットの付着膜１１２を指で擦り取ると、基体１１１上に表示された文字１１３が現れ、自分の解答が正しいかを確かめることができる。このように、視覚に加えて触覚も刺激され、さらに、指先の運動という脳の活性化に有効な効果を得ることができる。また、擦り取った付着膜を一つにまとまりやすいようにすれば、ゴミが出ず、捨てやすい。
【００７０】
なお、本発明の膜付着体及び情報表示体は、上記の例以外に、宅配便、ポスティング類、カード類、雑誌、パンフレット、カタログ類、カレンダー、ノート、教科書、参考書、回答用紙、パズル、その他文房具に用いることができる。
【図面の簡単な説明】
【００７１】
【図１】本発明の第１の実施の形態に係る情報表示体（アンケートはがき）を説明する図であり、図１（Ａ）は同表示体の表面と裏面の平面図、図１（Ｂ）は模式的な断面図、図１（Ｃ）は同表示体の付着膜剥離後の表面の平面図である。
【図２】本発明の第２の実施の形態に係る情報表示体を説明する図であり、図２（Ａ）は平面図、図２（Ｂ）は模式的な断面図、図２（Ｃ）は付着膜剥離後の平面図である。
【図３】本発明の第３の実施の形態に係る情報表示体を説明する図であり、図３（Ａ）は平面図、図３（Ｂ）は模式的な断面図、図３（Ｃ）は紙片を取り外した後の平面図である。
【図４】本発明の第４の実施の形態に係る情報表示体を説明する図であり、図４（Ａ）は平面図、図４（Ｂ）は模式的な断面図、図４（Ｃ）は紙片を取り外した後の平面図である。
【図５】本発明の第５の実施の形態に係る情報表示体を説明する平面図である。
【図６】本発明の第６の実施の形態に係る情報表示体を説明する平面図である。
【図７】本発明の第７の実施の形態に係る情報表示体の平面図である。
【図８】本発明の第８の実施の形態に係る情報表示体を説明する図であり、図８（Ａ）は情報表示体の平面図、図８（Ｂ）は開いた基体の平面図である。
【図９】本発明の第９の実施の形態に係る情報表示体を説明する平面図である。
【図１０】本発明の実施の形態に係るドリル教材を説明する平面図である。
【符号の説明】
【００７２】
１０  アンケートはがき                  １１  基体
１３  付着膜                            １５  宛名
１７  アンケート欄                      １９  バーコード
２１  宛名
３０  カード                            ３１  基体
３３  印刷層                            ３５  付着膜
３７  印刷層
４０  ダイレクトメール                  ４１  基体
４３  印刷層                            ４５  付着膜
４７  紙片
５０  ダイレクトメール                  ５１  基体
５３  宛名                              ５５  引換券
５７  宛名                              ５９  紙片
６３  付着膜                            ６５  印刷層
７０  パンフレット                      ７１  絵
７３  付着膜                            ７５  表
８０  はがき                            ８１  基体
８５  回答欄                            ８７  保護欄
８８  折り線
９０  ダイレクトメール                  ９１  基体
９２  折り目                            ９３  ミシン目
９４  付着膜
１００  カード                          １０１  基体
１０２  付着膜                          １０３  文字
１１０  ドリル教材                      １１１  基体
１１２  付着膜                          １１３  文字
【図１】
2007007719.tif 000002
【図２】
2007007719.tif 000003
【図３】
2007007719.tif 000004
【図４】
2007007719.tif 000005
【図５】
2007007719.tif 000006
【図６】
2007007719.tif 000007
【図７】
2007007719.tif 000008
【図８】
2007007719.tif 000009
【図９】
2007007719.tif 000010
【図１０】
2007007719.tif 000011
【国際調査報告】
2007007719.tif 000012
2007007719.tif 000013
2007007719.tif 000014
2007007719.tif 000015
2007007719.tif 000016
2007007719.tif 000017